(57)【要約】【課題】オーケストラにおける複数の演奏者による演奏や単独の演奏者による演奏の準備を効率良く行えるようにする。【解決手段】演奏支援端末２０は、互いの一端部が蝶番により回動自在に連結された第１及び第２の筐体２１及び２２を有している。第１の筐体２１には、第１のタッチパネルディスプレイ２１１が設けられている。第２の筐体２２には、第２のタッチパネルディスプレイ２２１が設けられている。第１及び第２のタッチパネルディスプレイ２１１及び２２１には楽譜データの楽譜の画像が表示されるようになっている。【選択図】図１
2016051150.tif 000002
【特許請求の範囲】
【請求項１】
楽曲の楽譜における一連のページの画像を示す楽譜データを記憶したサーバ装置と、
板状をなす第１及び第２の筐体であって、互いの一端部が蝶番により回動自在に連結された第１及び第２の筐体と、
前記第１及び第２の筐体における対向する各面に各々の表示面を露出させるようにして設けられた第１及び第２の表示手段と、
通信手段と、
記憶手段と、
前記サーバ装置に記憶されている楽譜データを前記サーバ装置から前記通信手段を介して受信し、受信した楽譜データを前記記憶手段に記憶し、前記記憶手段内の楽譜データに基づいて前記楽譜の各ページの画像データを生成し、生成した画像データを前記第１及び第２の表示手段に表示させる制御手段と
を有する演奏支援端末と
を具備することを特徴とする演奏支援システム。
【請求項２】
前記制御手段は、
前記楽譜の各ページの画像データを参照順が連続する２ページ分の画像データ毎の各組にし、各組をなす画像データを前記第１及び第２の表示手段に１ページ分ずつ表示させることを特徴とする請求項１に記載の演奏支援システム。
【請求項３】
踏込板と、前記踏込板が踏まれたことを検出するセンサとを有するフットペダルを具備し、
前記制御手段は、前記フットペダルの前記センサによって前記踏込板が踏まれたことをが検出される度に、前記第１及び第２の表示画面を参照順が次の２ページ分の画像データの画面に切り替える
ことを特徴とする請求項２に記載の演奏支援システム。
【請求項４】
複数個の前記演奏支援端末を具備し、
前記演奏支援端末は、
前記第１及び第２の表示装置の表示画面へのタッチ操作によって入力された書き込みを検出する検出手段を具備し、
前記制御手段は、
前記検出手段によって前記第１及び第２の表示画面への書き込みが検出されると、検出された書き込みを前記記憶手段内の楽譜データにおける前記書き込みがなされたページの画像に追記した新たな楽譜データを生成し、生成した新たな楽譜データを前記通信手段を介して前記サーバ装置に送信し、
前記サーバ装置は、前記新たな楽譜データの送信元の演奏支援装置から前記新たな楽譜データを受信し、受信した楽譜データを当該サーバ装置のデータベースに記憶し、前記データベースに記憶した楽譜データを前記送信元の演奏支援装置以外の演奏支援装置からの要求に応じて送信する
ことを特徴とする請求項３に記載の演奏支援システム。
【請求項５】
前記第１及び第２の筐体の厚みを合わせた寸法と略同じ幅の連結板を具備し、
前記第１の筐体の一端部及び前記第２の筐体の一端部は、前記連結板における幅方向に離間した縁部の各々に蝶番を介して連結されている
ことを特徴とする請求項４に記載の演奏支援システム。
【発明の詳細な説明】
【技術分野】
【０００１】
本発明は、オーケストラなどの多数人による演奏を支援する技術に関する。
【背景技術】
【０００２】
この種の技術を開示した文献として、特許文献１がある。この文献１に開示された演奏支援システムは、サーバ装置と、指揮者端末装置と、複数の演奏者端末装置とを有する。この演奏支援システムのサーバ装置は、演奏曲の楽譜データを格納した楽譜記憶手段、及び演奏曲の演奏音を記録した演奏データを格納した演奏記憶手段を有している。このサーバ装置は、複数の演奏者による演奏の最中に、演奏音を演奏データとして演奏記憶手段に記憶するとともに、演奏曲における各演奏箇所を楽譜データに時刻情報として追記する。そして、演奏の終了後は、再生開始位置入力部によって指示された再生開始位置から演奏データを再生して出力するようになっている。
【先行技術文献】
【特許文献】
【０００３】
【特許文献１】特開２０１３‐２００４５５号公報
【発明の概要】
【発明が解決しようとする課題】
【０００４】
ところで、オーケストラの演奏の際は、指揮者が各楽器の演奏者に対して楽曲の演奏区間単位で楽器の弾き方を指示することが多い。例えば、バイオリン、ビオラ、チェロ、コントラバスなどの弦楽器であれば、指揮者や演奏の指導者が、弓を上に滑らせる「アップ」と弓を下に滑らせる「ダウン」の何れによって音を鳴らすのかを楽曲内の小節単位で指示し、各演奏者が各々の楽譜に指揮者や演奏の指導者の指示を書き込んで演奏に臨む。このように、各楽器の演奏者の楽器の弾き方を合わせることにより、調和のとれた演奏とすることができる。しかしながら、このような従来の手法では、楽器の弾き方を演奏区間ごとに書き記した楽譜をオーケストラの全ての演奏者に配布せねばならず、演奏の準備が煩わしくなるという問題があった。
【０００５】
本発明は、このような課題に鑑みてなされたものであり、オーケストラの演奏の準備を効率良く行えるようにすることを目的とする。
【課題を解決するための手段】
【０００６】
上記課題を解決するため、本発明は、楽曲の楽譜における一連のページの画像を示す楽譜データを記憶したサーバ装置と、板状をなす第１及び第２の筐体であって、互いの一端部が蝶番により回動自在に連結された第１及び第２の筐体と、前記第１及び第２の筐体における対向する各面に各々の表示面を露出させるようにして設けられた第１及び第２の表示手段と、通信手段と、記憶手段と、前記サーバ装置に記憶されている楽譜データを前記サーバ装置から前記通信手段を介して受信し、受信した楽譜データを前記記憶手段に記憶し、前記記憶手段内の楽譜データに基づいて前記楽譜の各ページの画像データを生成し、生成した画像データを前記第１及び第２の表示手段に表示させる制御手段とを有する演奏支援端末とを具備する演奏支援システムを提供する。
【０００７】
この発明において、前記制御手段は、前記楽譜の各ページの画像データを参照順が連続する２ページ分の画像データ毎の各組にし、各組をなす画像データを前記第１及び第２の表示手段に１ページ分ずつ表示させるようにするとよい。また、この発明において、制御手段は、第１及び第２の表示手段のうち第１の表示手段にオーケストラ全体の楽譜を表示させるとともに、第２の表示手段に演奏楽器用の譜面を表示するなどの分割表示を行い、別々にページを切り替えるようにしてもよい。
【０００８】
また、踏込板と、前記踏込板が踏まれたことを検出するセンサとを有するフットペダルを具備し、前記制御手段は、前記フットペダルの前記センサによって前記踏込板が踏まれたことをが検出される度に、前記第１及び第２の表示画面を参照順が次の２ページ分の画像データの画面に切り替えるようにしてもよい。
【０００９】
また、複数個の前記演奏支援端末を具備し、前記演奏支援端末は、前記第１及び第２の表示装置の表示画面へのタッチ操作によって入力された書き込みを検出する検出手段を具備し、前記制御手段は、前記検出手段によって前記第１及び第２の表示画面への書き込みが検出されると、検出された書き込みを前記記憶手段内の楽譜データにおける前記書き込みがなされたページの画像に追記した新たな楽譜データを生成し、生成した新たな楽譜データを前記通信手段を介して前記サーバ装置に送信し、前記サーバ装置は、前記新たな楽譜データの送信元の演奏支援装置から前記新たな楽譜データを受信し、受信した楽譜データを当該サーバ装置のデータベースに記憶し、前記データベースに記憶した楽譜データを前記送信元の演奏支援装置以外の演奏支援装置からの要求に応じて送信するようにしてもよい。
【００１０】
また、前記第１及び第２の筐体の厚みを合わせた寸法と略同じ幅の連結板を具備し、前記第１の筐体の一端部及び前記第２の筐体の一端部は、前記連結板における幅方向に離間した縁部の各々に蝶番を介して連結されていてもよい。
【発明の効果】
【００１１】
本発明では、演奏支援端末は、互いの一端部が蝶番により回動自在に連結された第１及び第２の筐体を有している。第１の筐体には、第１の表示手段が設けられており、第２の筐体には、第２の表示手段が設けられており、第１及び第２の表示手段に楽譜データの楽譜の画像が表示されるようになっている。よって、オーケストラの演奏者は、演奏支援端末を譜面台に載せることにより、紙製の冊子の楽譜と同じように利用することができる。
【００１２】
また、本発明では、演奏支援端末は、通信手段と記憶手段を有している、演奏支援端末は、サーバ装置内の楽譜データを通信手段により受信し、受信した楽譜データを記憶手段に記憶し、この記憶手段内の楽譜データの楽譜画像を第１及び第２の表示手段に表示させるようになっている。よって、楽曲の指揮者は、各楽器の演奏者に対して楽曲の演奏区間単位で楽器の弾き方を指示する場合、自身の楽譜の各ページに楽器の弾き方を手書きしたものをスキャンしてサーバ装置にアップロードし、このサーバ装置内の楽譜データを各演奏者の演奏支援端末にダウンロードさせるようにすれば、各演奏者の楽譜に指揮者の指示を手書きしたものを準備する手間が省ける。従って、本発明によると、オーケストラの演奏の準備をより効率化することができる。
【図面の簡単な説明】
【００１３】
【図１】本発明の一実施形態である演奏支援システムの全体構成図である。
【図２】同システムにおけるサーバ装置に記憶される楽譜データのデータ構造を示す図である。
【図３】同システムにおける演奏支援端末の組み立て図である。
【図４】同システムにおける演奏支援端末の折り畳みの様子を示す図である。
【図５】同システムの動作を示すフローチャートである。
【図６】同システムにおける楽譜画像のページ進行の様子を示す図である。
【発明を実施するための形態】
【００１４】
以下、図面を参照しつつ本発明の実施形態について説明する。図１は、本発明の一実施形態である演奏支援システム１の全体構成を示す図である。この演奏支援システム１は、サーバ装置１０と複数の演奏支援端末２０とから構成される。サーバ装置１０は、本システム１の運用事業者らの管理の下に稼働するものである。演奏支援端末２０は、オーケストラの演奏を行う複数の演奏者、演奏の指揮を行う指揮者、演奏の指導を行う指導者によって利用されるものである。
【００１５】
サーバ装置１０は、通信インターフェース１１３、ＣＰＵ１１５、ＲＡＭ１１６、ＲＯＭ１１７、ハードディスク１１８を有する。通信インターフェース１１３は、インターネット９０に接続された装置との間でデータを送受信する。ＣＰＵ１１５は、ＲＡＭ１１６をワークエリアとして利用しつつ、ＲＯＭ１１７やハードディスク１１８に記憶された各種プログラムを実行する。ＲＯＭ１１７には、ＩＰＬなどが記憶されている。ハードディスク１１８には、データベース１１９が記憶されている。データベース１１９には、各楽曲の楽譜データと楽譜データをアップロードした指揮者、指導者、又は演奏者の識別情報の各対が記憶されている。
【００１６】
図２に示すように、１つの楽曲の楽譜データは、楽曲の楽譜の最初のページから最後のページまでの各ページの楽譜の画像を所定のフォーマット（例えば、ＰＤＦ (Portable Document Format)）により圧縮符号化したデータである。
【００１７】
図３は、図１の演奏支援端末２０の組み立て図である。図３に示すように、演奏支援端末２０は、第１の筐体２１、第２の筐体２２、及びこれらの間に介在する２つの連結板８、９からなる。筐体２１及び２２は、略同じ縦幅、横幅、及び厚みを持った板状をなしている。筐体２１の一端面には、電源ボタン２４が設けられている。連結板８及び９は、筐体２１及び２２の厚みを合わせた厚みと略同じ幅をもった板状をなしている。
【００１８】
第１の筐体２１の一面には矩形状の開口が設けられている。第１の筐体２１には、この開口から表示面を露出させるようにして第１のタッチパネルディスプレイ２１１が設けられている。第２の筐体２２の一面には矩形状の開口が設けられている。第２の筐体２２には、この開口から表示面を露出させるようにして第２のタッチパネルディスプレイ２２１が設けられている。タッチパネルディスプレイ２１１及び２２１は、情報を表示する表示手段としての役割と画面へのタッチ操作を検出する検出手段としての役割とを果たす装置である。
【００１９】
第１の筐体２１及び第２の筐体２２は連結板８及び９の蝶番を介して回動自在に連結されている。より具体的に説明すると、筐体２１の縦幅方向の一端部における横幅方向の両縁から内側に離れた位置には縦幅方向の他端部の側に凹んだ凹部２１８及び２１９が設けられている。筐体２１には、凹部２１８の内壁からその両側に延伸する孔２１８Ｈと凹部２１９の内壁からその両側に延伸する２１９Ｈが穿設されている。
【００２０】
第２の筐体２２の縦幅方向の一端部における横幅方向の両縁から内側に離れた位置には縦幅方向の他端部の側に凹んだ凹部２２８及び２２９が設けられている。筐体２２には、凹部２２８の内壁からその両側に延伸する孔２２８Ｈと凹部２２９の内壁からその両側に延伸する２２９Ｈが穿設されている。
【００２１】
連結板８には平行に延伸する２つの孔８Ｈが穿設されている。孔８Ｈは連結板８の幅方向に離間している。連結板９には平行に延伸する２つの孔９Ｈが穿設されている。孔９Ｈは連結板９の幅方向に離間している。
【００２２】
筐体２１の凹部２１８及び筐体２２の凹部２２８には連結板８が収められている。筐体２１の凹部２１９及び筐体２２の凹部２２９には連結板９が収められている。
【００２３】
連結板８の２つの孔８Ｈには２つの軸Ｓが通されている。連結板８の２つの軸Ｓのうち一方の軸Ｓは筐体２１の孔２１８Ｈに挿入されており、他方の軸Ｓは筐体２２の孔２２８Ｈに挿入されている。
【００２４】
連結板９の２つの孔９Ｈには２つの軸Ｓが通されている。連結板９の２つの軸Ｓのうち一方の軸Ｓは筐体２１の孔２１９Ｈに挿入されており、他方の軸Ｓは筐体２２の孔２２９Ｈに挿入されている。
【００２５】
図４に示すように、演奏支援端末２０は、筐体２１及び２２をタッチパネルディスプレイ２１１及び２２１が正面を向くようにして伸展させた状態から一方の筐体２１（または２２）を回動させてタッチパネルディスプレイ２１１及び２２１を向い合せるようにして折り畳んだ状態にすることができる。この折り畳み状態では、筐体２１及び２２は、全体として、一枚板状となる。また、この折り畳み状態では、筐体２１及び２２間の連結板８及び９は筐体２１及２２と直交する向きになる。
【００２６】
図１に示すように、演奏支援端末２０にはフットペダル７０がケーブル８０を介して接続される。なお、演奏支援端末２０とフットペダル７０をブルートウース（登録商標）などの無線通信により接続してもよい。フットペダル７０は、踏込板７１と、踏込板７１を下から支持する台座部７２と、踏込板７１の踏込操作を検出して検出信号を出力するセンサ（不図示）とを有する。
【００２７】
演奏支援端末２０の筐体２１には、バッテリ２１２、無線通信部２１３、及び制御部２１４が内蔵されている。無線通信部２１３は、制御部２１４による制御の下、移動体通信網における基地局にアクセスし、インターネット９０に接続されている他の装置とデータを送受信する。
【００２８】
制御部２１４は、演奏支援端末２０の制御中枢としての役割を果たす装置である。制御部２１４は、筐体２１内の信号線を介してタッチパネルディスプレイ２１１と接続されている。制御部２１４は、筐体２１から連結板８を通って筐体２２に至る信号線を介して筐体２２のタッチパネルディスプレイ２２１と接続されている。
【００２９】
制御部２１４は、ＣＰＵ２１５、ＲＡＭ２１６、およびＳＳＤ（Solid State Drive）２１７を有する。ＣＰＵ２１５は、ＲＡＭ２１６をワークエリアとして利用しつつ、ＳＳＤ２１７内の各種プログラムを実行する。ＳＳＤ２１７には、ＯＳ（Operating System）、及び、本実施形態に特徴的な処理を行う制御プログラムが記憶されている。
【００３０】
制御プログラムの働きにより、ＣＰＵ２１５は、楽譜データ受信処理、楽譜データ表示処理、楽譜データ更新処理、楽譜データ送信処理を行う。
【００３１】
楽譜データ受信処理は、タッチパネルディスプレイ２１１に表示されるメニュー画面において、サーバ装置１０内における所望の楽曲の楽譜データのダウンロードを指示する操作が行われた場合に、選択された楽曲の楽譜データの送信を求めるメッセージをサーバ装置１０に送信し、サーバ装置１０から楽譜データを受信し、受信した楽譜データをＳＳＤ２１７に記憶する処理である。
【００３２】
楽譜データ表示処理は、タッチパネルディスプレイ２１１に表示されるメニュー画面において、ＳＳＤ２１７内の所望の楽曲の楽譜データの再生を指示する操作が行われた場合に、ＳＳＤ２１７内における選択された楽譜データに基づいて、楽譜の最初のページから最後のページまでの各ページの画像データを生成し、生成した画像データを参照順が連続する２ページ分の画像データ毎の組にし、各組をなす画像データをタッチパネルディスプレイ２１１及び２２１に順に表示させる処理である。
【００３３】
楽譜データ更新処理は、タッチパネルディスプレイ２１１及び２２１の表示画面へのタッチ操作によって楽譜内のページへのマークや注意書きの書き込みが検出されると、検出された書き込みを楽譜データにおける書き込みがなされたページの画像に追記した新たな楽譜データを生成し、生成した新たな楽譜データをＳＳＤ２１７に記憶する処理である。
【００３４】
楽譜データ送信処理は、タッチパネルディスプレイ２１１に表示されるメニュー画面において、ＳＳＤ２１７内の所望の楽譜データのアップロードを指示する操作が行われた場合に、ＳＳＤ２１７内における選択された楽譜データをサーバ装置１０に送信する処理である。
【００３５】
次に、本実施形態の動作を説明する。図５は、本実施形態の動作を示すフローチャートである。本実施形態では、制御部２１４のＣＰＵ２１５は、制御プログラムの立ち上げ中に電源ボタン２４が押下されると、スリープ状態から復帰し、タッチパネルディスプレイ２１１にメニュー画面を表示させる。このメニュー画面は、楽譜ダウンロード、楽譜再生、楽譜アップロードの各メニュー項目を有している。
【００３６】
メニュー画面における楽譜ダウンロードの項目を選択するタッチ操作が行われた場合（Ｓ１００：Ｙｅｓ）、ＣＰＵ２１５は、サーバ装置１０のデータベース１１９に記憶されている楽譜データの属性情報（楽曲の曲名やアップロードを行った者の識別情報）を列記したダウンロード対象リストをタッチパネルディスプレイ２１１に表示させる（Ｓ１１０）。
【００３７】
このダウンロード対象リスト内の楽曲を選択するタッチ操作が行われた場合（Ｓ１２０：Ｙｅｓ）、ＣＰＵ２１５は、選択された楽曲の楽譜データの送信を要求するメッセージをサーバ装置１０に宛てて送信する（Ｓ１３０）。サーバ装置１０は、メッセージを受信すると、メッセージが示す楽曲の楽譜データをデータベース１１９から読み出し、読み出した楽譜データをメッセージの送信元の演奏支援端末２０に宛てて送信する。
【００３８】
ＣＰＵ２１５は、サーバ装置１０から楽譜データを受信すると、受信した楽譜データをＳＳＤ２１７に記憶する（Ｓ１４０）。
【００３９】
メニュー画面における楽譜再生の項目を選択するタッチ操作が行われた場合（Ｓ１５０：Ｙｅｓ）、ＣＰＵ２１５は、ＳＳＤ２１７に記憶されている楽譜データの属性情報（楽曲の曲名やアップロードを行った者の識別情報）を列記した再生対象リストをタッチパネルディスプレイ２１１に表示させる（Ｓ１６０）。
【００４０】
この再生対象リスト内の楽曲を選択するタッチ操作が行われない場合（Ｓ１７０：Ｎｏ）、ＣＰＵ２１５は、ステップＳ１６０の再生対象リストの表示に戻る。再生対象リスト内の楽曲を選択するタッチ操作が行われた場合（Ｓ１７０：Ｙｅｓ）、ＣＰＵ２１５は、ＳＳＤ２１７内における選択された楽曲の楽譜データをＲＡＭ２１６に読み出し、読み出した楽譜データに基づいて楽譜の最初のページから最後のページまでの各ページの画像データを生成し、生成した画像データを参照順が連続する２ページ分の画像データ毎の組にし、各組をなす画像データをタッチパネルディスプレイ２１１及び２２１に表示させる処理を行う（Ｓ１８０）。
【００４１】
より詳細に説明すると、図６に示すように、この処理では、ＣＰＵ２１５は、タッチパネルディスプレイ２１１の表示画面として１ページ目の楽譜画像を表示させるとともに、タッチパネルディスプレイ２２１の表示画面として２ページ目の楽譜画像を表示させる。ＣＰＵ２１５は、フットペダル７０の踏込板７１が踏み込まれたことをフットペダル７０内のセンサが検出し、その検出信号が出力されると、タッチパネルディスプレイ２１１の表示画面として３ページ目の楽譜画像を表示させるとともに、タッチパネルディスプレイ２２１の表示画面として４ページの楽譜画像を表示させる。以降、ＣＰＵ２１５は、フットペダル７０の踏込板７１が踏まれたことをセンサが検出する度に、５ページ及び６ページの楽譜画像、７ページ及び８ページの楽譜画像・・・というようにしてタッチパネルディスプレイ２１１及び２２１の表示画面を２ページ分ずつ順に切り替える。
【００４２】
また、この処理では、ＣＰＵ２１５は、タッチパネルディスプレイ２１１及び２２１の表示画面へのタッチ操作によって楽譜画像へのマークや注意書きの書き込みが行われると、楽譜画像上にタッチされた通りのマークや注意書きを出現させる。そして、楽譜の上書保存を指示する所定の操作が行われると、書き込まれたマークや注意書きを書き込みがなされたページの楽譜画像に追記した新たな楽譜データを生成し、生成した新たな楽譜データをＳＳＤ２１７に記憶する。
【００４３】
メニュー画面における楽譜アップロードの項目を選択するタッチ操作が行われない場合（Ｓ１９０：Ｎｏ）、ＣＰＵ２１５は、ステップＳ１１０のダウンロード対象リストの表示、または、ステップＳ１６０の再生対象リストの表示に戻る。メニュー画面における楽譜アップロードの項目を選択するタッチ操作が行われた場合（Ｓ１９０：Ｙｅｓ）、ＣＰＵ２１５は、ＳＳＤ２１７に記憶されている楽譜データ（及び上書保存の指示により生成された楽譜データ）の属性情報（楽曲の曲名やアップロードを行った者の識別情報）を列記したアップロード対象リストをタッチパネルディスプレイ２１１に表示させる（Ｓ２００）。
【００４４】
このアップロード対象リスト内の楽曲を選択するタッチ操作が行われない場合（Ｓ２１０：Ｎｏ）、ＣＰＵ２１５は、ステップＳ２００のアップロード対象リストの表示に戻る。アップロード対象リスト内の楽曲を選択する操作が行われた場合（Ｓ２１０：Ｙｅｓ）、ＣＰＵ２１５は、ＳＳＤ２１７内における選択された楽曲の楽譜データをＲＡＭ２１６に読み出し、読み出した楽譜データをサーバ装置１０に宛てて送信する（Ｓ２２０）。サーバ装置１０は、楽譜データを受信すると、受信した楽譜データをデータベース１１９に記憶する。
【００４５】
以上が、本実施形態の詳細である。本実施形態では、演奏支援端末２０は、互いの一端部が蝶番により回動自在に連結された第１の筐体２１及び第２の筐体２２を有している。第１の筐体２１には、第１のタッチパネルディスプレイ２１１が設けられており、第２の筐体２２には、第２のタッチパネルディスプレイ２２１が設けられており、タッチパネルディスプレイ２１１及び２２１に楽譜データの楽譜画像が表示されるようになっている。よって、オーケストラの演奏者は、演奏支援端末２０を譜面台に載せることにより、紙製の冊子の楽譜と同じように利用することができる。
【００４６】
また、本実施形態では、演奏支援端末２０は、無線通信部２１３とＳＳＤ２１７を有している、演奏支援端末２０は、サーバ装置１０内の楽譜データを無線通信部２１３により受信し、受信した楽譜データをＳＳＤ２１７に記憶し、ＳＳＤ２１７内の楽譜データの楽譜画像を第１及び第２のタッチパネルディスプレイ２１１及び２２１に表示させるようになっている。よって、楽曲の指揮者や指導者は、各楽器の演奏者に対して楽曲の演奏区間単位で楽器の弾き方を指示する場合、自身の楽譜の各ページに楽器の弾き方を手書きしたものをスキャンしてサーバ装置１０にアップロードし、このサーバ装置１０内の楽譜データを各演奏者の演奏支援端末２０にダウンロードさせるようにすれば、各演奏者が各々の楽譜に指揮者や指導者の指示を手書きしたものを準備する手間が省ける。従って、本実施形態によると、オーケストラの演奏の準備をより効率化することができる。
【００４７】
以上、本発明の一実施形態について説明したが、かかる実施形態に以下の変形を加えてもよい。
（１）上記実施形態では、演奏支援端末２０は、フットペダル７０の踏込板７１が押される度にタッチパネルディスプレイ２１１及び２２１内の楽譜のページを切り替えた。しかし、タッチパネルディスプレイ２１１及び２２１上で指を一方向に滑らせる操作であるフリック操作が行われたことを契機としてタッチパネルディスプレイ２１１及び２２１内の楽譜のページを切り替えるようにしてもよい。
【００４８】
（２）上記実施形態では、演奏支援端末２０は、フットペダル７０の踏込板７１が押される度にタッチパネルディスプレイ２１１及び２２１内の楽譜のページを２ページ分ずつ次のページに切り替えた。しかし、楽譜のページを１ページ分ずつ切り替えてもよい。
【００４９】
（３）上記実施形態において、楽譜データに電子的な付箋を付加する機能を設けてもよい。この変形例では、ＣＰＵ２１５は、表示順が前後する所望の２か所のページの楽譜画像がタッチパネルディスプレイ２１１（または２２１）に表示されているときに所定の操作（例えば、楽譜内の所望の位置を指でタッチする操作）が行われると、操作が行われた２つのページを示す付箋位置情報をＲＡＭ２１６内の楽譜データに追記する。その後、ＣＰＵ２１５は、付箋位置情報が付された２つのページのうち後の方の楽譜画面をタッチパネルディスプレイ２１１（または２２１）に表示させている最中にその画面の付箋をタッチする操作が行われると、タッチパネルディスプレイ２１１（または２２１）の表示画面を付箋位置情報が付された２つのページのうち前の方の楽譜画面に直ちに切り替える。この変形例によると、紙の楽譜における付箋や栞によるページのマークと同等の利便性を実現することができる。
【００５０】
（４）上記実施形態において、ＣＰＵ２１５は、タッチパネルディスプレイ２１１にオーケストラ全体の楽譜を表示させるとともに、タッチパネルディスプレイ２２１に楽器演奏用の譜面を表示させるなどの分割表示を行い、左右別々にページを切り替えるようにしてもよい。
【００５１】
（５）上記実施形態は、本発明を、複数の演奏者によるオーケストラの演奏の支援に適用したものであった。しかし、ピアノソロなどの単独演奏の支援に本発明を適用してもよい。この変形例では、単独演奏を行う演奏者が自身の演奏支援端末２０から楽譜データをサーバ装置１０にアップロードしてもよいし、演奏者の指導者が自身の演奏支援端末２０から楽譜データをサーバ装置１０にアップロードするようにしてもよい。
【符号の説明】
【００５２】
１…演奏支援システム、１０…サーバ装置、２０…演奏支援端末、１１３…通信インターフェース、１１５、２１５…ＣＰＵ、１１６、２１６…ＲＡＭ、１１７…ＲＯＭ、１１８…ハードディスク、２１７…ＳＳＤ、７０…フットペダル。
【図１】
2016051150.tif 000003
【図２】
2016051150.tif 000004
【図３】
2016051150.tif 000005
【図４】
2016051150.tif 000006
【図５】
2016051150.tif 000007
【図６】
2016051150.tif 000008